(57)【要約】【課題】カメラを構成するレンズのフォーカス調整を行うにあたり、簡素化されたシステム構成をもとにその調整を目視で行う作業者の利便性を高めるとともに、フォーカス位置を容易に確定可能としてモアレ発生の判定精度を高める。【解決手段】カメラの光軸に直交する面に配置される正面チャート２の中央部にモアレを発生させるために配置される明暗縞パターン２１ａ、２１ｂとして、チャート中心点Ｐを直交する座標軸Ｘ、Ｙ上で対称の位置に当該チャート中心点から放射線状又は同心円状に短冊形状の白黒パターンを配置し、この白黒パターンのピッチを、カメラを構成するセンサの画素ピッチ及びカメラからチャートまでの距離によって変化させる。【選択図】図２
2010256471.tif 000002
【特許請求の範囲】
【請求項１】
カメラ（１）の光軸（Ｚ）に直交する面に配置される正面チャート（２）を設け、前記カメラにて撮像される映像をモニタ（５）に出画させて前記カメラを構成するレンズ（１０）のフォーカス調整を行うにあたり、
前記正面チャートは、当該正面チャートの中央部にモアレを発生させるための明暗縞パターン（２１ａ、２１ｂ）が配置されることを特徴とするフォーカス調整装置。
【請求項２】
カメラ（１）の光軸（Ｚ）を中心とする同心円の円弧上に対向配置される一対の側面チャート（４、４）を設け、前記カメラにて撮像される映像をモニタ（５）に出画させて前記カメラを構成するレンズ（１０）のフォーカス調整を行うにあたり、
前記側面チャートは、前記光軸に対して周辺方向で縦、横に交互に延びる短冊形状の白黒パターン（４０）が配置されることを特徴とするフォーカス調整装置。
【請求項３】
前記明暗縞パターンは、チャート中心点（Ｐ）を直交する座標軸（Ｘ、Ｙ）上で対称の位置に配置される偶数個のパターンで構成され、短冊形状の白黒パターン（２１０）が前記チャート中心点から放射線状に配置されることを特徴とする請求項１記載のフォーカス調整装置。
【請求項４】
前記明暗縞パターンは、チャート中心点（Ｐ）を直交する座標軸（Ｘ、Ｙ）上で対称の位置に配置される偶数個のパターンで構成され、短冊形状の白黒パターン（２１０）が前記チャート中心点から同心円状に配置されることを特徴とする請求項１記載のフォーカス調整装置。
【請求項５】
前記短冊形状の白黒パターンのピッチは、前記カメラを構成するセンサの画素ピッチ及び前記カメラから前記チャートまでの距離により変化することを特徴とする請求項３又は請求項４記載のフォーカス調整装置。
【発明の詳細な説明】
【技術分野】
【０００１】
本発明は、カメラを構成するレンズのフォーカス調整を行うフォーカス調整装置に係り、特に、当該調整の利便性及びモアレ発生の判定精度を高めたフォーカス調整装置に関する。
【背景技術】
【０００２】
従来から、玄関等の住戸外に設置される子機にカメラを備え、このカメラにて撮像される映像を住戸内に設置される親機のモニタへ出画させるようなインターホン・テレビドアホン装置が適用されている。このカメラにて撮像される映像は、防犯上の観点から広角で撮像可能なワイドカメラの適用が望まれており、近年では、円周魚眼や対角魚眼等の広角レンズで撮像した映像について歪み補正等の所定の画像処理を行うことが知られている。
【０００３】
また、前述のワイドカメラを適用するにあたっては、その技術として、レンズに入射され光軸方向を進行する光線を、撮像画面（撮像素子）の予め決められた場所に集束させ、かつ焦点を合わせることが必要とされている。
【０００４】
そこで、具体的な対処手段としては、図７（Ａ）、（Ｂ）の各パターン図に示す楔形チャート５００やＥＩＡＪ（Electronic Industries Association of Japan）規格のテストチャート６００をカメラで撮像しモニタに出画しながら、当該カメラのレンズ位置をフォーカス調整する技術が開示されている。この対処手段によれば、必要なパターンを配置したテストチャートをその作業者が目視にて判断しながら、最も解像感の高い位置までレンズを移動させフォーカス調整を行っていた。
【０００５】
また、他の対処手段として、レンズのフォーカス調整を行うにあたっては、周辺部分の片ボケに対する精度を向上させるために撮像画面を８×８の６４個の小分割エリアに分割し、小分割エリア毎に画焦位置を測定する工程と、小分割エリア毎での画焦位置を揃えるように偏芯移動量を算出する工程と、偏芯移動量に基づきレンズを移動させることができるレンズの偏心調整方法及び装置が開示されている（例えば、特許文献１を参照。）。
【０００６】
このレンズの偏心調整方法及び装置によれば、簡単かつ高精度にレンズの偏芯を調整することができる。
【先行技術文献】
【特許文献】
【０００７】
【特許文献１】特開２００８−１４８２７号公報
【発明の概要】
【発明が解決しようとする課題】
【０００８】
ここで、カメラを構成するレンズの形態として画角が広い例えば、円周魚眼や対角魚眼等の広角レンズを備えたワイドカメラを適用するにあたっては、そのレンズ特性により、当該レンズの周辺部との非点収差や像面湾曲の相違に基づき、最適なフォーカス位置がシフトされている。
【０００９】
具体的には、図８のグラフ図に示すように、実線で示されるレンズの中央部と点線で示されるレンズの周辺部との位置の相違に基づき、そのＭＴＦ（Modulation Transfer Function）が最大となるフォーカスポイントが変化するため、当該レンズの中央部及び当該レンズの周辺部のそれぞれでバランスを得ながら、レンズのフォーカス調整を行い、例えば、同図中の正規な調整位置とされる正常範囲にレンズを固定する必要があった。
【００１０】
しかしながら、背景技術に記載した図７（Ａ）、（Ｂ）にそれぞれ示す楔形チャート５００やＥＩＡＪテストチャート６００を適用するにあたっては、作業者の目視手段のみで解像度の判定を行っていたため、その作業に限界があり個人差も生じ、例えば、パンフォーカスタイプの場合、中央部の被写界深度が深く、レンズ位置による解像感の劣化を判定するにあたって、これらチャート５００、６００の使用による判定が困難となる虞があった。
【００１１】
したがって、フォーカス調整の作業者にとっては、その調整工程において、図８に示す誤った調整位置とされる異常位置にレンズを固定してしまうことで、レンズの中央部ではデフォーカスとなり、解像度の低い例えば、ぼやけた映像が撮像される虞があった。
【００１２】
また、背景技術に記載した特許文献１のレンズの偏心調整方法及び装置を適用するにあたっては、小分割エリアが８×８の６４個の当該エリアのようにより複数のエリアが必要され、その分割工程及び当該小分割エリア毎の演算処理にそれぞれ煩雑さを有し、システム構成が大掛かりとなっていた。
【００１３】
本発明は、これらの難点を解消するためになされたもので、カメラを構成するレンズのフォーカス調整を行うにあたり、簡素化されたシステム構成をもとにその調整を目視で行う作業者の利便性を高めるとともに、フォーカス位置を容易に確定可能としてモアレ発生の判定精度を高めたフォーカス調整装置を提供することを目的としている。
【課題を解決するための手段】
【００１４】
前述の目的を達成するため、本発明の第１の態様であるフォーカス調整装置は、カメラの光軸に直交する面に配置される正面チャートを設け、カメラにて撮像される映像をモニタに出画させてカメラを構成するレンズのフォーカス調整を行うにあたり、正面チャートは、当該正面チャートの中央部にモアレを発生させるための明暗縞パターンが配置されるものである。
【００１５】
また、本発明の第２の態様であるフォーカス調整装置は、カメラの光軸を中心とする同心円の円弧上に対向配置される一対の側面チャートを設け、カメラにて撮像される映像をモニタに出画させてカメラを構成するレンズのフォーカス調整を行うにあたり、側面チャートは、光軸に対して周辺方向で縦、横に交互に延びる短冊形状の白黒パターンが配置されるものである。
【００１６】
また、本発明の第３の態様であるフォーカス調整装置は、本発明の第１の態様において、明暗縞パターンは、チャート中心点を直交する座標軸上で対称の位置に配置される偶数個のパターンで構成され、短冊形状の白黒パターンがチャート中心点から放射線状に配置されるものである。
【００１７】
また、本発明の第４の態様であるフォーカス調整装置は、本発明の第１の態様において、明暗縞パターンは、チャート中心点を直交する座標軸上で対称の位置に配置される偶数個のパターンで構成され、短冊形状の白黒パターンがチャート中心点から同心円状に配置されるものである。
【００１８】
また、本発明の第５の態様であるフォーカス調整装置は、本発明の第３の態様又は第４の態様において、短冊形状の白黒パターンのピッチは、カメラを構成するセンサの画素ピッチ及びカメラからチャートまでの距離により変化するものである。
【発明の効果】
【００１９】
本発明のフォーカス調整装置によれば、カメラの光軸に直交する面に配置される正面チャートの中央部にモアレを発生させるために配置される明暗縞パターンとして、チャート中心点を直交する座標軸上で対称の位置に当該チャート中心点から放射線状又は同心円状に短冊形状の白黒パターンを配置し、この白黒パターンのピッチを、カメラを構成するセンサの画素ピッチ及びカメラからチャートまでの距離によって変化させることにより、カメラを構成するレンズの形態として例えば、画角が広いパンフォーカスタイプ等のようなワイドカメラを適用するにあたって、このレンズの合焦状態の相違に基づきモニタの出画映像のコントラストが変化するため、フォーカス位置の確定が容易となるように、出画映像の中央部に発生するモアレの強弱レベルの判定が高精度で容易となり、簡素なシステム構成による目視作業によってフォーカス調整が可能であることから、作業者の作業負担も軽減されて利便性が高められる。
【００２０】
また、本発明のフォーカス調整装置によれば、カメラの光軸を中心とする同心円の円弧上に対向配置される一対の側面チャートとして、光軸に対して周辺方向で縦、横に交互に延びる短冊形状の白黒パターンを配置することにより、カメラを構成するレンズの形態として画角が広いパンフォーカスタイプ等のようなワイドカメラを適用する場合、正面チャートのみではチャートが大きくなることやカメラからの光学的な距離が長くなることに起因して解像度の判定が困難とされることを容易に回避できる。
【図面の簡単な説明】
【００２１】
【図１】図１（Ａ）は、本発明の実施例によるフォーカス調整装置の具体的な構成として、当該装置を上方から見たシステム説明図である。また、図１（Ｂ）は、図１（Ａ）の構成部である正面チャートをカメラ側から見た正面図である。
【図２】図２（Ａ）、（Ｂ）はそれぞれ、本発明の実施例によるフォーカス調整装置において、正面チャートの具体的な形状例を説明するためのパターン図である。
【図３】図３は、本発明の実施例によるフォーカス調整装置において、明暗縞パターンの一例を示すパターン図である。
【図４】図４は、本発明の実施例によるフォーカス調整装置において、側面パターンの一例を示すパターンである。
【図５】図５（Ａ）は、本発明の実施例によるフォーカス調整装置におけるモニタの出画映像として、正面チャート全体を撮像するにあたっての出画例を示す広角画像図である。また、図５（Ｂ）は、図５（Ａ）の出画映像の要部として、（第１の）明暗縞パターンを示す拡大画像図である。
【図６】図６（Ａ）は、本発明の実施例によるフォーカス調整装置におけるモニタの出画映像として、正面チャート全体を撮像するにあたっての出画例を示す広角画像図である。また、図６（Ｂ）は、図６（Ａ）の出画映像の要部として、（第２の）明暗縞パターンを示す拡大画像図である。
【図７】図７（Ａ）、（Ｂ）はそれぞれ、従来例のフォーカス調整装置として、カメラにて撮像させる楔形テストチャート、ＥＩＡＪ規格のテストチャートの一例を示すパターン図である。
【図８】図８は、従来例のフォーカス調整装置において参照されるフォーカスシフト量及びＭＴＦ値の関係を示すグラフ図である。
【発明を実施するための形態】
【００２２】
以下、本発明のフォーカス調整装置を適用した最良の実施の形態例について、図面を参照して説明する。
【００２３】
図１（Ａ）は、本発明の実施例によるフォーカス調整装置の具体的な構成として、当該装置を上方から見たシステム説明図である。このフォーカス調整装置は、カメラ１と、カメラ１の光軸Ｚに直交する面に配置される正面チャート２と、正面チャート２の印刷面２ａであってカメラ１側へ光軸Ｌを中心とする同心円の円弧上に対向配置され、当該正面チャートの明るさを確保するための一対の透明板３、３と、透明板３、３の内周面側に貼り付けられる一対の側面チャート４、４と、カメラ１にて撮像される映像を出画するためのモニタ５と、モニタ５の出画映像を確認した作業者によりフォーカス調整操作が行われる操作部６と、操作部６の操作を検出してカメラ１を構成するレンズ１０のフォーカス調整を行うための制御部７とが設けられている。また、図１（Ｂ）は、側面チャート４、４がその内周面側に貼り付けられる透明板３、３が配置された正面チャート２をカメラ１側から見た正面図である。
【００２４】
なお、側面チャート４、４は、カメラ１を構成するレンズ１０の形態として画角θが広いパンフォーカスタイプ等のようなワイドカメラを適用するにあたって、正面チャート２のみではチャートが大きくなることや、カメラ１からの光学的な距離が長くなることに起因して、解像度の判定が困難とされることを回避するために設けられるものである。
【００２５】
次に、正面チャート２の具体的な形状を説明するにあたり、その第１、第２の各形状として図２（Ａ）、（Ｂ）の各パターン図に示すように、チャート中心点Ｐを中心とするその中央部には、レンズ１０の中央部で映像の撮像を行うための楔形テストチャート２０が配置されている。また、正面チャート２におけるチャート対角線の長さが「Ｄ」であるとき、チャート中心点Ｐを直交する座標軸Ｘ、Ｙ上の対称の位置であって、当該チャート中心点から「０．０５×Ｄ」の位置には、モアレを発生させるための明暗縞パターン（以下、第１、第２の各明暗縞パターンという。）２１ａ、２１ｂがそれぞれ配置されており、この第１、第２の各明暗縞パターン２１ａ、２１ｂは、偶数個、ここでは、４個の当該パターンで構成されている。さらに、前述と同様、正面チャート２におけるチャート対角線の長さが「Ｄ」であるとき、チャート中心点Ｐを直交する座標軸Ｘ、Ｙ上の対称の位置であって、当該チャート中心点から「０．２５×Ｄ」の位置のように第１、第２の各明暗縞パターン２１ａ、２１ｂの外周辺部には、レンズ１０の周辺部で映像の撮像を行うための解像度パターン２２が配置されており、この解像度パターン２２は、明暗縞パターン２１ａ、２１ｂが有するパターン数に対応した４個の当該パターンで構成されている。
【００２６】
また、第１の明暗縞パターン２１ａを構成する４個の当該パターンはそれぞれ、図２（Ａ）に示すように、図３のパターン図に示す短冊形状の白黒パターン２１０（２１０、２１０、２１０、２１０）がチャート中心点Ｐから放射線状に配置されている。一方、第２の明暗縞パターン２１ｂを構成する４個の当該パターンはそれぞれ、図２（Ｂ）に示すように、同様な短冊形状の白黒パターン２１０（２１０、２１０、２１０、２１０）がチャート中心点Ｐから同心円状に配置されている。
【００２７】
なお、図３に示す短冊形状の白黒パターン２１０（２１０、２１０、２１０、２１０）は、暗部２１０ａと明部２１０ｂとが同一の間隔で交互に繰り返した縦縞パターンとなっている。具体的な印刷色の要素としては、暗部２１０ａが黒色１００％、明部２１０ｂが白色１００％で形成されており、そのピッチは、図１（Ａ）に示すカメラ１を構成するセンサ（図示せず。）の画素ピッチ及び当該カメラから正面チャート２までの距離によって変化するものである。
【００２８】
また、解像度パターン２２を構成する４個の当該パターンはそれぞれ、その形状として、チャート中心点Ｐに対して外周辺の方向に９０°回転される一対の短冊形状の白黒パターン２２ａ、２２ｂ（２２ａ、２２ｂ、２２ａ、２２ｂ、２２ａ、２２ｂ、２２ａ、２２ｂ）が配置されている。
【００２９】
さらに、側面チャート４、４はそれぞれ、その形状として図４の説明図に示すように、図１（Ａ）に示すカメラ１の光軸Ｚに対して周辺方向で縦、横に交互に伸びる短冊形状であり、レンズ１０の周辺部より外側の外周部で映像の撮像を行うための白黒パターン４０が複数個（４０、４０、４０、・・・４０）、正面チャート２の明るさを確保する透明板３、３の面積に対応させて任意の列、並べて配置されている。ここでは、前述の縦、横に交互に伸びるパターン列として、４列Ｌ1、Ｌ2、Ｌ3、Ｌ4が適用されており、短冊形状の白黒パターン４０（４０、４０、４０、・・・４０）は、当該パターン列毎で縦方向においても縦、横に交互に配置されているものとする。
【００３０】
このように構成された本発明の実施例によるフォーカス調整装置において、以下、具体的な動作、すなわち、カメラ１を構成するレンズ１０のフォーカス調整動作について説明する。
【００３１】
最初に、一般的にカメラ１で発生するモアレは、細かい明暗縞を撮像したときに発生するものであって、このモアレは、映像のコントラストが大きくなるほど強く表れる。言い換えれば、レンズ１０の合焦状態の相違に基づきコントラストが変化するため、モアレの強弱レベルを調整することがレンズ１０のフォーカス調整を実行することになる。
【００３２】
この性質を利用するにあたり、第１の動作として、図２（Ａ）に示す第１の明暗縞パターン２１ａが正面チャート２に配置されているとき、図１（Ａ）に示すカメラ１にて撮像される映像をモニタ５に出画させると、このモニタ５には、図５（Ａ）、（Ｂ）の各画像図に示す映像が出画されることになる。なお、図５（Ａ）は、正面チャート２全体を撮像するにあたっての出画例を示す広角画像図であり、図５（Ｂ）は、図５（Ａ）の出画映像の要部として、第１の明暗縞パターン２１ａの拡大画像図である。
【００３３】
ここで、正面チャート２に配置されている第１の明暗縞パターン２１ａは、図３に示すような縦縞パターンであったが、図１（Ａ）に示すカメラ１を構成するレンズ１０の合焦状態におけるモニタ５の出画映像は、図５（Ｂ）に示すような横縞パターンとなりモアレが発生するため、このモアレの判定を高精度で確認可能な作業者にとっては、図５（Ａ）に示す側面チャート４、４に配置された明暗縞パターン４０（４０、４０、４０、・・・４０）の残像感と前述のモアレの強弱レベルとのバランスを得るように操作部６を使用してフォーカス調整操作を行うことができ、この操作を検出した制御部７の制御により、レンズ１０のフォーカス調整が高精度で実行される。
【００３４】
次に、第２の動作として、図２（Ｂ）に示す第２の明暗縞パターン２１ｂが正面チャート２に配置されているとき、図１（Ａ）に示すカメラ１にて撮像される映像をモニタ５に出画させると、このモニタ５には、図６（Ａ）、（Ｂ）の各画像図に示す映像が出画されることになる。なお、図６（Ａ）は、正面チャート２全体を撮像するにあたっての出画例を示す広角画像図であり、図６（Ｂ）は、図６（Ａ）の出画映像の要部として、第２の明暗縞パターン２１ｂの拡大画像図である。
【００３５】
ここで、正面チャート２に配置されている第２の明暗縞パターン２１ｂは、図３に示すように縦縞パターンであったが、図１（Ａ）に示すカメラ１を構成するレンズ１０の合焦状態におけるモニタ５の出画映像は、図６（Ｂ）に示すような横縞パターンとなりモアレが発生するため、このモアレの判定を高精度で確認可能な作業者にとっては、図６（Ａ）に示す側面チャート４、４に配置された明暗縞パターン４０（４０、４０、４０、・・・４０）の残像感と前述のモアレの強弱レベルとのバランスを得るように操作部６を使用してフォーカス調整操作を行うことができ、この操作を検出した制御部７の制御により、レンズ１０の中央部のフォーカス調整が高精度で実行される。
【００３６】
前述までの説明から明らかなように、本発明の実施例によれば、カメラ１を構成するレンズ１０の形態として例えば、画角が広いパンフォーカスタイプ等のようなワイドカメラを適用するにあたって、レンズ１０の合焦状態の相違に基づきモニタ５の出画映像のコントラストが変化するため、フォーカス位置の確定が容易となるように、出画映像の中央部に発生するモアレの強弱レベルの判定が高精度で容易となり、簡素なシステム構成による目視作業によってフォーカス調整が可能であることから、作業者の作業負担も軽減されて利便性が高められる。また、正面チャート２のみではチャートが大きくなることやカメラ１からの光学的な距離が長くなることに起因して解像度の判定が困難とされることを容易に回避できる。
【００３７】
本発明のフォーカス調整装置においては、特定の実施の形態をもって説明してきたが、これらの形態に限定されるものでなく、本発明の効果を奏する限り、これまで知られた如何なる構成の当該装置であっても採用できるということはいうまでもないことである。
【００３８】
具体的に、本発明の実施例によれば、第１、第２の各明暗縞パターン２１ａ、２１ｂの個数として４個の当該パターンを適用したが、この個数に限定されるものではない。例えば、偶数個であれば、任意の個数で設けることができる。
【符号の説明】
【００３９】
１……カメラ
１０……レンズ
Ｚ……光軸
２……正面チャート
Ｐ……チャート中心点
２１ａ、２１ｂ……第１、第２の各明暗縞パターン
２１０……短冊形状の白黒パターン
４、４……側面チャート
４０……短冊形状の白黒パターン
５……モニタ
Ｘ、Ｙ……座標軸
【図１】
2010256471.tif 000003
【図２】
2010256471.tif 000004
【図３】
2010256471.tif 000005
【図４】
2010256471.tif 000006
【図５】
2010256471.tif 000007
【図６】
2010256471.tif 000008
【図７】
2010256471.tif 000009
【図８】
2010256471.tif 000010